(57)【要約】【課題】  施工性に優れ、軒樋接続部分の外観が良く、接着剤の掻き取り防止も可能な軒樋用内継手を提供する。【解決手段】  軒樋と軒樋を接続する内継手であって、軒樋の内面に沿った形状の前板部１０と底板部１１と後板部１２を備え、その長さ方向の中間に開口部１３が形成された仮止用部材１と、軒樋の内面に沿った形状の前板部２０と底板部２１と後板部２２とを備え、仮止用部材１の開口部１３に嵌め込まれる接着用部材２とからなり、接着用部材２の外面の接着剤無塗布領域２ｄに摺接して接着剤塗布領域２ｃ，２ｅの接着剤の掻き取りを防止する突起３が、仮止用部材１の前板部１０上端又は／及び後板部１２上端に突設された構成の軒樋用内継手とする。【選択図】図１
2006299623.tif 000002
【特許請求の範囲】
【請求項１】
軒樋と軒樋を接続する内継手であって、軒樋の内面に沿った形状の前板部と底板部と後板部を備え、その長さ方向の中間に開口部が形成された仮止用部材と、軒樋の内面に沿った形状の前板部と底板部と後板部とを備え、仮止用部材の開口部に嵌め込まれる接着用部材とからなり、接着用部材の外面の接着剤無塗布領域に摺接して接着剤塗布領域の接着剤の掻き取りを防止する突起が、仮止用部材の前板部上端又は／及び後板部上端に突設されていることを特徴とする軒樋用内継手。
【請求項２】
突起の嵌まり込む切欠部が、接着用部材の前板部上端又は／及び後板部上端に形成されていることを特徴とする請求項１に記載の軒樋用内継手。
【請求項３】
突起が仮止用部材の前板部上端の略中央部から後向きに突設され、切欠部が接着用部材の前板部上端に形成されていることを特徴とする請求項２に記載の軒樋用内継手。
【請求項４】
突起の先端面が曲面であることを特徴とする請求項１ないし請求項３のいずれかに記載の軒樋用内継手。
【発明の詳細な説明】
【技術分野】
【０００１】
本発明は、美観を損なうことなく軒樋と軒樋を接続できる、接着剤掻き取り防止機能を備えた軒樋用内継手に関する。
【背景技術】
【０００２】
従来の軒樋用の外継手は軒樋の接続部分の外面に露出して美観を損なうため、外側片と底片と内側片とで構成された継手本体の該外側片上端から底片までを切り欠いて切り起こしの可能な接着用可動部を設けた軒樋用の内継手が提案された（特許文献１）。
【０００３】
この内継手は、軒樋の接続部分の美観を損なうものではないが、継手本体と接着用可動部が一体的に形成されているので、軒樋の接続作業の際は必ず事前に接着剤を接着用可動部に塗布しておかなければならず、そのため、作業時間が長くなると接着剤が乾くという不都合があった。軒樋の接続作業は、接続すべき全ての軒樋を継手で一旦仮止めして全体のバランスを調節してから接着作業に入るのが普通であるが、上記の内継手は接着剤が乾かないように仮止めの時間を短縮しなければならないため、軒樋全体のバランスを充分調節して接続することが難しいという不都合があり、また、接着剤を接着用可動部に塗布したまま内継手の位置調整を行なわねばならないため、位置調整中に接着剤が軒樋と接触して掻き取られやすいという不都合もあった。更に、接着用可動部には切り起こしのくせがついているため、軒樋の内面に接着用可動部を密着させて強固に接続し難いという不都合もあった。このように、上記の軒樋用内継手は施工面でかなりの不都合があり、施工性が良くないという重大な問題を有するものであった。
【０００４】
一方、内継手と外継手で軒樋の接続部分を内外から挟み込んで内継手を軒樋の接続部分に接着する軒樋用継手において、外継手の内側に折曲された一上端に、内継手の接着剤の掻き取りを防止する突起を設けたものも提案されている（特許文献２）。けれども、この軒樋用継手は、外継手が軒樋接続部分の外面に露出して段差ができるので美観を損なうという問題があり、このような問題は、近年の住宅に見られる外観重視の傾向を考慮すると、到底無視することができない。
【特許文献１】特開２００２−１３２５９号公報
【特許文献２】特許第３１９１６５６号公報
【発明の開示】
【発明が解決しようとする課題】
【０００５】
本発明は上記の事情に鑑みてなされたもので、施工性に優れ、軒樋接続部分の外観が良く、接着剤の掻き取り防止も可能な軒樋用内継手を提供することを解決課題としている。
【課題を解決するための手段】
【０００６】
上記目的を達成するため、本発明に係る軒樋用内継手は、軒樋と軒樋を接続する内継手であって、軒樋の内面に沿った形状の前板部と底板部と後板部を備え、その長さ方向の中間に開口部が形成された仮止用部材と、軒樋の内面に沿った形状の前板部と底板部と後板部とを備え、仮止用部材の開口部に嵌め込まれる接着用部材とからなり、接着用部材の外面の接着剤無塗布領域に摺接して接着剤塗布領域の接着剤の掻き取りを防止する突起が、仮止用部材の前板部上端又は／及び後板部上端に突設されていることを特徴とするものである。
【０００７】
本発明の軒樋用内継手においては、突起の嵌まり込む切欠部が、接着用部材の前板部上端又は／及び後板部上端に形成されていることが好ましい。そして、本発明の代表的な実施形態では、突起が仮止用部材の前板部上端の略中央部から後向きに突設され、切欠部が接着用部材の前板部上端に形成されている。また、突起の先端面が曲面であることも好ましい。更に、仮止用部材の前板部の長さ方向両端部と後板部の長さ方向両端部は補強材で連結されていることが好ましく、また、接着用部材の外面に、その前板部から底板部を経て後板部に至る溝が設けられ、該溝にパッキンが嵌着されていることも好ましい。
【発明の効果】
【０００８】
本発明の軒樋用内継手は、仮止用部材と、この仮止用部材の開口部に嵌め込まれる接着用部材を別体としたため、接続すべき双方の軒樋の突合せ端部の内側に仮止用部材を嵌合して仮止めしたまま軒樋全体のバランス調節や仮止用部材の位置調整を充分に行い、その後、接着用部材の外面の接着剤塗布領域に接着剤を塗布して該接着用部材を仮止用部材の開口部に嵌め込み、軒樋の突合せ端部の内面と接着用部材を接着して軒樋の接続を行うことができる。従って、接着用部材の外面の接着剤塗布領域に塗布された接着剤が乾いたり、仮止用部材の位置調整の際に接着剤が軒樋内面の不必要な部分に付着する心配がなく、しかも、接着用部材を仮止用部材の開口部に嵌め込む際に、仮止用部材の前板部上端又は／及び後板部上端に突設された突起が接着用部材の外面の接着剤無塗布領域に摺接して、仮止用部材の前板部上端又は／及び後板部上端と接着用部材の外面との間にクリアランスを形成し、このクリアランスによって接着用部材の接着剤塗布領域に塗布された接着剤の掻き取りが防止されるので、接着用部材には従来の内継手の接着用可動部に見られたような切り起こしぐせがないことと相俟って、軒樋の突合せ端部の内面に接着用部材を密着状態で強固かつ水密的に接着して軒樋を接続することができる。このように、本発明の軒樋用内継手は施工性に優れ、軒樋の接続部分の内側に隠れて前方や下方から見えないため、軒樋の接続部分の外観も良好である。
【０００９】
また、突起の嵌まり込む切欠部が接着用部材の前板部上端又は／及び後板部上端に形成された軒樋用内継手は、接着用部材の前板部上端又は／及び後板部上端の高さが軒樋の前板部上端又は／及び後板部上端までに及んだとしても、仮止用部材の開口部に接着用部材を嵌合したときに突起が切欠部に嵌まり込んで接着用部材の前板部上端又は／及び後板部上端に当たらないので、隙間を生じることがない。そして、突起の先端面を曲面にした軒樋用内継手は、仮止用部材の開口に接着用部材を嵌合するとき、突起が接着用部材の外面の接着剤無塗布領域をスムーズに摺動するので、接着用部材の嵌合作業がし易くなる。
尚、仮止用部材の前板部の長さ方向両端部と後板部の長さ方向両端部のそれぞれを補強材で連結すると、仮止用部材の強度が向上し、前後から外力が加わったとしても、その前板部や後板部が内側に変形することがないので、仮止用部材によって接着前の軒樋の仮止めを確実に行うことができる。更に、接着用部材の外面にその前板部から底板部を経て後板部に至る溝を設けて該溝にパッキンを嵌着すると、万一、軒樋の接続端部内面と接着用部材の接着が不完全になったとしても、パッキンが軒樋の接続端部内面に密接して防水機能を発揮するため、軒樋の接続部分から水漏れすることがなく、また、接着用部材の接着剤塗布領域に過剰の接着剤を塗布したとしても、パッキンによって接着剤の漏れ出しを防止することができ、パッキンの弾力性によって軒樋の突合せ端部相互の多少のズレを修正することもできる。
【発明を実施するための最良の形態】
【００１０】
以下、図面を参照して本発明の具体的な実施形態を詳述するが、本発明はこの実施形態のみに限定されるものではない。
【００１１】
図１は本発明の一実施形態に係る軒樋用内継手の斜視図、図２は同内継手の仮止用部材の斜視図、図３は同内継手の接着用部材の斜視図、図４は仮止用部材を軒樋の突合せ端部の内側に嵌合した状態を示す断面図、図５は同内継手で軒樋を接続した状態を示す断面図、図６は仮止用部材を軒樋の突合せ端部の内側に嵌合して仮止めした状態を示す斜視図、図７は同内継手で軒樋を接続した状態を示す斜視図である。
【００１２】
図１に示す軒樋用内継手Ａ（以下、単に内継手という）は、図２に示す合成樹脂製の仮止用部材１と、この仮止用部材１の中間の開口部１３に嵌め込まれる、図３に示す合成樹脂製の接着用部材２とから構成されたものであって、図７に示すように軒樋３０と軒樋３０を内側から接続するものである。
【００１３】
図２、図４に示すように、仮止用部材１は、接続する軒樋３０の内面形状に沿った前板部１０と底板部１１と後板部１２を備えたもので、軒樋３０の内面形状に合致するように、前板部１０が底板部１１の前端から略垂直に立上がって前方へ折れ曲がり、更に斜め前方へ立上がった形状とされており、底板部１１が平坦な板状若しくは僅かに下方へ湾曲した形状とされており、後板部１２が底板部１１の前端から略垂直方向に立上がった形状とされている。この前板部１０の上端には、軒樋３０の前側耳部３０ａに内側から係合させる係合耳縁１０ａが形成されており、後板部１２の上端にも軒樋３０の後側耳部３０ｂに内側から係合させる係合耳縁１２ｂが形成されている。そして、この係合耳縁１０ａ、１２ｂを残して、仮止用部材１の長さ方向の中間部分には、接着用部材２を嵌め込むための開口部１３が形成されており、この開口部１３を挟んで前板部１０、底板部１１、後板部１２は長さ方向に二分割されている。
【００１４】
二分割された前板部の長さ方向両端部１０，１０と、二分割された後板部の長さ方向両端部１２，１２は、補強材４，４で連結されている。この補強材４は、仮止用部材１と一体に成形された板状体で、二分割された前板部１０及び後板部１２のそれぞれの長さ方向両端部に前後から外力が加わっても、これらの長さ方向両端部が内側に傾くように変形することがないように形成されたものである。その一方で仮止用部材１はある程度内側にしなる弾力性がないと軒樋３０に嵌め込むことが難しくなるので、補強材４は、前板部１０及び後板部１２の高さの略１／２程度の高さ位置に設けるのが好ましい。
【００１５】
前板部１０の上端に形成された係合耳縁１０ａは、軒樋３０の前側耳部３０ａに対応する略Ｓ字形の断面形状を備えており、後板部１２の上端に形成された係合耳縁１２ｂは、軒樋３０の後側耳部３０ａに対応する略Ｌ字形の断面形状を備えている。そして、前板部１０上端の係合耳縁１０aの長さ方向の中間には、接着用部材２をこの仮止用部材１の開口部１３に嵌め込むときに、接着用部材２の後述する接着剤無塗布領域２ｄに摺接して接着剤塗布領域２ｃ，２ｅの接着剤の掻き取りを防止する突起３が後向きに突設されている。この突起３の先端面は、接着用部材２を小さな抵抗でスムーズに仮止用部材１の開口部１３に嵌め込めるように、丸みのある曲面に形成されており、特に仮止用部材に嵌合する際の摺接方向にＲ面を持つよう形成するとなお良い。また、突起３の突出寸法は、接着用部材２を嵌め込むときに、仮止用部材１の前板部１０上端の係合耳縁１０aと接着用部材２の前板部２０との間に接着剤の塗布厚みより大きいクリアランスが形成され、且つ、接着用部材の底板部２１の前端から前板部２０が略垂直に立上がるコーナー部が軒樋３０の同じコーナー部に摺接することのない突出寸法であり、具体的には２〜２５ｍｍ程度の突出寸法が最適とされる。
【００１６】
尚、仮止用部材１の前板部１０の係合耳縁１０ａ又は後板部１２の係合耳縁１２ｂの長さ方向中央に、軒樋３０，３０の端部を突合せる位置を示す目印を設けてもよく、その場合は位置合わせが容易になって作業性が向上する利点がある。
【００１７】
接着用部材２は、図３、図５に示すように、接続する軒樋３０の内面形状に沿った前板部２０と底板部２１と後板部２２を備えたもので、上記仮止部材１の開口部１３に嵌め込まれるようになっている。
【００１８】
この接着用部材２の前板部２０、底板部２１、後板部２２の形状は、上記の仮止用部材１の前板部１０、底板部１１、後板部１２と略同形状であって、前板部２０の上端には、仮止用部材１の前板部１０上端の係合耳縁１０ａに内側から係合させる断面が略Ｓ字形の係合縁２０ａが形成されている。
【００１９】
この係合縁２０ａの長さ方向の中間位置（仮止用部材１の突起３に対応する位置）には凹型の切欠部５が形成されており、接着用部材２を仮止用部材１の開口部１３に嵌め込んだときに、仮止用部材１の突起３がこの切欠部５に嵌まり込むようになっている。
【００２０】
一方、接着用部材２の外面には、その前板部２０から底板部２１を経て後板部２２に至る４条の溝２ａが設けられており、その４条の溝２ａには、合成ゴム等からなる防水用のパッキン２ｂが嵌着されている。そして、図３に示すように、片側（図３では左側）の２条の溝２ａ，２ａの間の外面と、反対側（図３では右側）の２条の溝２ａ，２ａの間の外面は、いずれも接着剤を塗布する接着剤塗布領域２ｃ，２ｅとされており、中間の２条の溝２ａ，２ａの間の外面は接着剤を塗布しない接着剤無塗布領域２ｄとされている。接着剤塗布領域２ｃ，２ｅには罫書き等で目印を付けてもよく、その場合は接着剤を塗布する箇所を間違う心配がなくなる。尚、溝２ａやパッキン２ｂの数は適宜増減してもよい。
【００２１】
このように、接着用部材２の外面に溝２ａを設けてパッキン２ｂを嵌着してあると、万一、軒樋３０の接続端部の内面に対する接着用部材２の接着が不充分であっても、パッキン２ｂが軒樋３０の接続端部の内面に密着して防水作用を発揮するため軒樋３０の接続部分から水が漏れ出すのを防ぐことができるし、また、接着剤を接着剤塗布領域２ｃ，２ｅに過剰に塗布したとしても、パッキン２ｂの外側に接着剤がはみ出すのを防ぐことができるので軒樋３０，３０の突合せ部から接着剤が漏れることもない。そして、軒樋３０，３０の突合せ端部に多少のズレが生じたとしても、柔軟なパッキン２ｂによってズレを修正することもできる。
【００２２】
以上のような内継手Ａを用いて軒樋３０，３０を接続するには、まず、図６に示すように軒樋３０，３０の端部同士を突き合わせ、図４、図６に示すように仮止用部材１を軒樋３０，３０の突合せ端部の内側に嵌め込んで、軒樋３０，３０の耳部３０ａ，３０ｂに係合耳縁１０ａ，１２ｂを内側下方から係合させて仮止めする。そして、この仮止め状態で、接続される軒樋３０，３０の全体のバランスを充分に調整する。
【００２３】
次に、接着用部材２の外面の接着剤塗布領域２ｃ，２ｅに接着剤を塗布し、図５に仮想線で示すように、接着用部材２の後板部２２の上端を仮止用部材１の係合耳縁１２ｂの底面に係止させて、その係止部分を支点として接着用部材２を下方に回動させ、前板部２０上端の係合縁部２０ａを接着用部材２の弾性変形を利用して軒樋３０の前側耳部３０ａと仮止用部材１の係合耳縁１０ａに内側下方から係合させて接着用部材２を仮止用部材１の開口部１３に嵌め込み、軒樋３０，３０の突合せ端部の内面に接着用部材２を接着して双方の軒樋３０，３０を接続する。このとき、仮止用部材１の突起３が接着用部材２の外面の接着剤無塗布領域２ｄに摺接して、仮止用部材１の前板部１０上端の係合耳縁１０ａと接着用部材２の前板部２０の外面との間にクリアランスを確保するため、このクリアランスによって、接着用部材２の接着剤塗布領域２ｃ，２ｅに塗布された接着剤の掻き取りが防止される。
【００２４】
上記のように、この内継手Ａは、仮止用部材１で軒樋３０，３０の突合せ端部を仮止めして軒樋全体のバランスを調整するので、時間をかけて念入りにバランス調整を行うことができ、その後、接着用部材２の接着剤塗布領域２ｃ，２ｅに接着剤を塗布して仮止用部材１の開口部１３に嵌め込んで軒樋３０，３０の突合せ端部を接着するため、接着前に接着剤が乾く心配がなく、しかも、上記のように接着用部材２を仮止用部材１の開口部に嵌め込む際に突起３によって接着剤の掻き取りを防止できるため、軒樋３０，３０の突合せ端部の内面に接着用部材２を密着状態で強固かつ水密的に接着して軒樋３０，３０を接続することができ、施工性が極めて良好である。しかも、内継手Ａは軒樋３０，３０の接続部分の内側に隠れて前方や下方から見えないため、軒樋の接続部分の外観が良好であり、建物の美観を損なうことがない。
【００２５】
上記の実施形態では、接着剤の掻き取りを防止する突起３を仮止用部材１の前板部１０上端の係合耳縁１０ａの長手方向の中間部に設けているが、これは、接着用部材２を嵌め込んだときに接着剤無塗布領域２ｄが上記の中間部に対応する箇所に位置するためであり、接着剤無塗布領域２ｄが中間部以外の他の箇所に位置する場合は、それに応じて突起３の位置を変更する必要があることは言うまでもない。
【００２６】
また、上記の実施形態では、接着用部材２の後板部２２の上端を仮止用部材１の後板部１２上端の係合耳縁１２ｂの底面に係止させ、その係止部分を支点として接着用部材２を下方に回動させて嵌め込むようにしているため、接着剤の掻き取りを防止する突起３を仮止用部材１の前板部１０上端の係合耳縁１０ａに設けているが、これとは逆に、接着用部材２の前板部２０上端の係合縁２０ａを仮止用部材１の前板部１０上端の係合耳縁１０ａに内側下方から係合させ、これを支点として接着用部材２を回動させて嵌め込むようにする場合は、接着剤の掻き取りを防止する突起３を仮止用部材１の後板部１２上端の係合耳縁１２ｂから前向きに突設すればよい。また、接着用部材２を上方から仮止用部材１の開口部に嵌め込む場合は、仮止用部材１の前板部１０及び後板部１２の上端の係合耳縁１０ａ，１２ｂの双方に上記の突起３を突設すればよい。
【図面の簡単な説明】
【００２７】
【図１】本発明の一実施形態に係る軒樋用内継手の斜視図である。
【図２】同内継手の仮止用部材の斜視図である。
【図３】同内継手の接着用部材の斜視図である。
【図４】仮止用部材を軒樋の突合せ端部の内側に嵌合した状態を示す断面図である。
【図５】同内継手で軒樋を接続した状態を示す断面図である。
【図６】仮止用部材を軒樋の突合せ端部の内側に嵌合して仮止めした状態を示す斜視図である。
【図７】同内継手で軒樋を接続した状態を示す斜視図である。
【符号の説明】
【００２８】
Ａ    軒樋用内継手
１    仮止用部材
２    接着用部材
２ａ  溝
２ｂ  パッキン
２ｃ，２ｅ  接着剤塗布領域
２ｄ  接着剤無塗布領域
３    突起
４    補強材
５    切欠部
１０  仮止用部材の前板部
１１  仮止用部材の底板部
１２  仮止用部材の後板部
１３  開口部
２０  接着用部材の前板部
２１  接着用部材の底板部
２２  接着用部材の後板部
３０  軒樋
【図１】
2006299623.tif 000003
【図２】
2006299623.tif 000004
【図３】
2006299623.tif 000005
【図４】
2006299623.tif 000006
【図５】
2006299623.tif 000007
【図６】
2006299623.tif 000008
【図７】
2006299623.tif 000009